(57)【特許請求の範囲】
【請求項１】
下面が開口したケーシングの内部に回転可能に支持されるブラシ軸と、該ブラシ軸の周面に、軸心に対して平行又は螺旋状にブラシ毛を植設してなるブラシ列とを有する回転ブラシと、該回転ブラシを回転駆動するモータとを具えた掃除機用の床用吸込具において、
ブラシ軸に、略矩形のシート部材であって、長辺の一方がブラシ列間にブラシ列と平行にブラシ軸に取り付けられ、短辺がブラシ毛よりも長いシート部材を取り付け、前記シート部材は前記回転ブラシの回転に伴う遠心力と吸引力により外側に膨らみつつ前記回転ブラシと共に回転し、前記モータにより、前記回転ブラシを正逆回転させることを特徴とする床用吸込具。
【請求項２】
シート部材は、複数であり、少なくとも一対は、ブラシ軸の直径方向に対向した位置に配備される請求項１に記載の床用吸込具。
【請求項３】
請求項１又は２に記載の床用吸込具を着脱可能又は一体に具える電気掃除機。
【発明の詳細な説明】
【技術分野】
【０００１】
本発明は、電気掃除機に接続される床用吸込具に関するものであり、具体的には、ブラシ軸にブラシ毛を植設した回転ブラシに髪の毛や糸くずを絡みにくくした床用吸込具及びこれを搭載した電気掃除機に関するものである。
【背景技術】
【０００２】
電気掃除機に接続される床用吸込具には、絨毯やフローリング、畳等の床面に付着している埃や髪の毛等を掻き出して吸引できるように、回転ブラシを内蔵しているものがある。
【０００３】
回転ブラシは、床用吸込具のケーシングに回転自在又はモータによって強制的に回転させられるブラシ軸を具え、該ブラシ軸と平行又は螺旋状に１又は複数のブラシ毛を植設したブラシ列により、ゴミの掻き出し性能を高めている(例えば、特許文献１参照)。
【特許文献１】実開昭６２−１１６９１８号公報
【発明の概要】
【発明が解決しようとする課題】
【０００４】
ブラシ毛によって掻き出された髪の毛や糸くずがブラシ毛に絡まったり、絡まった髪の毛や糸くずが回転ブラシに巻き付いてしまうことがあった。その結果、ブラシ毛の掻き出し性能の低下、回転ブラシの回転抵抗の増大、付着した髪の毛等による雑菌、異臭の発生、床用吸込具の吸込み能力の低下を招き、床用吸込具の清掃能力を低下させてしまうことがあった。
【０００５】
従来、このような場合、巻き付いた髪の毛、糸くずは、使用者がピンセット等を用いて手で取り除く必要があった。
【０００６】
特許文献１では、巻き付いた髪の毛等を切断する刃体を内周に向けて突設したリングを、回転ブラシに嵌め込み、リングを軸方向にスライドさせて、刃体によって髪の毛等を切断するようにしている。しかしながら、ブラシ列間に架かる髪の毛等は切断できても、ブラシ毛自体に絡まった髪の毛等は切断されず、さらに、切断後の髪の毛等は、使用者がピンセット等を用いて手で取り除かなければならない手間は解消されていない。さらに、リングの操作も使用者が電気掃除機使用前又は使用後に自ら行なう必要があった。
【０００７】
本発明は、ブラシ毛への髪の毛、糸くず等の絡みを可及的に減少させることのできる回転ブラシを具えた床用吸込具を提供することである。
【課題を解決するための手段】
【０００８】
本発明は、下面が開口したケーシングの内部に回転可能に支持されるブラシ軸と、該ブラシ軸の周面に、軸心に対して平行又は螺旋状にブラシ毛を植設してなるブラシ列とを有する回転ブラシと、該回転ブラシを回転駆動するモータとを具えた掃除機用の床用吸込具において、ブラシ軸に、略矩形のシート部材であって、長辺の一方がブラシ列間にブラシ列と平行にブラシ軸に取り付けられ、短辺がブラシ毛よりも長いシート部材を取り付け、前記シート部材は前記回転ブラシの回転に伴う遠心力と吸引力により外側に膨らみつつ前記回転ブラシと共に回転し、前記モータにより、前記回転ブラシを正逆回転させることを特徴とする。
【発明の効果】
【０００９】
本発明の床用吸込具によれば、シート部材によって、髪の毛や糸くず等が回転ブラシ及び回転ブラシのブラシ毛に絡みつくことを防ぐことができ、絡みついた場合でも、回転ブラシの回転により生ずる遠心力及び電気掃除機の吸引力によって、ネット部材又はシート部材が外側に膨らみ、回転ブラシの見かけの外径が拡大するから、髪の毛等は回転ブラシに絡みにくくなる。
【００１０】
回転ブラシにネット部材を装着した場合、ブラシ毛に絡まった髪の毛がネット部材により鍬取られるため、より効果的に髪の毛等の付着を防止できる。
【図面の簡単な説明】
【００１１】
【図１】本発明のネット部材を装着した床用吸込具の下面図である。
【図２】図１の線Ｘ−Ｘに沿う矢視断面図である。
【図３】筒状のネット部材を装着した回転ブラシを示す図であって、ネット部材の一部を断面して示す図である。
【図４】回転ブラシを回転させた状態を示す床用吸込具の断面図である。
【図５】回転ブラシを床面に接触させた状態を示す床用吸込具の断面図である。
【図６】回転ブラシに髪の毛が巻き付いた状態を示す床用吸込具の断面図である。
【図７】髪の毛の巻き付いたネット部材が膨らんだ状態を示す床用吸込具の断面図である。
【図８】ネット部材の膨らみによって、髪の毛が回転ブラシから外れた状態を示す床用吸込具の断面図である。
【図９】(ａ)はネット部材の望ましい網目の向きを示す図であり、(ｂ)は網目が軸方向に垂直な向きに広がった状態を示す図である。
【図１０】筒状のネット部材の異なる取付形態を示す図であって、ネット部材の一部を断面して示す図である。
【図１１】筒状のネット部材の異なる取付形態を示す図であって、ネット部材の一部を断面して示す図である。
【図１２】筒状のネット部材の異なる取付形態を示す図であって、ネット部材の一部を断面して示す図である。
【図１３】筒状のネット部材の異なる取付形態を示す図であって、ネット部材の一部を断面して示す図である。
【図１４】中央に開口を有する筒状のネット部材の回転ブラシへの装着方法を示す図である。
【図１５】図１４のネット部材の右側面図である。
【図１６】中央に開口を有する筒状のネット部材を回転ブラシに装着した状態を示す図であって、ネット部材の一部を断面して示す図である。
【図１７】２つの筒状体からなるネット部材を取り付けた回転ブラシを示す図であって、ネット部材の一部を断面して示す図である。
【図１８】２つの筒状体からなるネット部材を取り付けた回転ブラシを示す図であって、ネット部材の一部を断面して示す図である。
【図１９】筒状体からなるネット部材の回転ブラシへの装着方法を示す図である。
【図２０】略矩形のシート状ネット部材の平面図である。
【図２１】シート状ネット部材を取り付ける回転ブラシの平面図である。
【図２２】シート状ネット部材を取り付けた回転ブラシの平面図である。
【図２３】シート状ネット部材を取り付けた回転ブラシを有する床用吸込具の断面図である。
【図２４】回転ブラシに髪の毛が巻き付いた状態を示す床用吸込具の断面図である。
【図２５】髪の毛の巻き付いたシート状ネット部材が膨らんだ状態を示す床用吸込具の断面図である。
【図２６】シート状ネット部材の膨らみによって、髪の毛が回転ブラシから外れた状態を示す床用吸込具の断面図である。
【図２７】シート状ネット部材の異なる取付形態を示す床用吸込具の断面図である。
【図２８】２枚のシート状ネット部材を回転ブラシに取り付けた状態を示す床用吸込具の断面図である。
【図２９】回転ブラシに髪の毛が巻き付いた状態を示す床用吸込具の断面図である。
【図３０】髪の毛の巻き付いたシート状ネット部材が膨らんだ状態を示す床用吸込具の断面図である。
【図３１】シート状ネット部材の膨らみによって、髪の毛が回転ブラシから外れた状態を示す床用吸込具の断面図である。
【図３２】２枚のシート状ネット部材の異なる取付形態を示す床用吸込具の断面図である。
【図３３】回転ブラシに取り付けられるシート部材の平面図である。
【図３４】シート部材を取り付けた回転ブラシの平面図である。
【図３５】図３４の線Ｙ−Ｙに沿う矢視断面図である。
【図３６】(ａ)は２枚のシート部材を取り付けた回転ブラシの断面図であり、(ｂ)は回転ブラシの回転によってシート部材が広がった状態を示す断面図である。
【図３７】(ａ)は２枚のシート部材を取り付けた回転ブラシの断面図であり、(ｂ)は回転ブラシの回転によってシート部材が広がった状態を示す断面図である。
【発明を実施するための形態】
【００１２】
本発明の床用吸込具(10)は、電気掃除機に連結パイプや可撓性の連結ホースを介して着脱可能に装着される。所謂縦型掃除機の場合、電気掃除機に一体に構成される場合もある。
【００１３】
図１及び図２に示す床用吸込具(10)は、電気掃除機に連結パイプ等を介して着脱可能に取り付けられるタイプのものであり、連結パイプや連結ホースに着脱可能な接続パイプ(12)と、該接続パイプ(12)に上下及び左右に揺動可能に取り付けられたケーシング(14)から構成される。
【００１４】
ケーシング(14)は、内部が中空に構成され、左右に幅広い形状である。ケーシング(14)の下面には、吸込口(16)が開設されており、該吸込口(16)は、ケーシング(14)内部を通じて、接続パイプ(12)と連通している。
【００１５】
ケーシング(14)の内部には、図１及び図２に示すように、回転ブラシ(20)が装着される。
【００１６】
回転ブラシ(20)は、図３に示すように、両端に軸受(23)(23)が取り付けられたブラシ軸(22)を具える。ブラシ軸(22)は、断面円形の中実部材であり、周面に取付筒(24)が一体回転可能に嵌められている。
【００１７】
取付筒(24)の外周面には、図２及び図３に示すように、軸方向に複数の凹部(25a)(25b)(25c)が形成されており、該凹部(25a)(25b)には、ブラシ毛(31)(35)が多数植設されたブラシ列(30)(34)と、ゴム製ブレード(37)が嵌まっている。
【００１８】
符号(30)で示すブラシ列は、凹部(25a)に嵌まるゴム製のブラシ基板(32)に柔らかめのブラシ毛(31)を多数植設して形成されており、図示の回転ブラシ(20)では、夫々９０度毎にブラシ列(30)が設けられている。
【００１９】
符号(34)で示すブラシ列も、凹部(25b)に嵌まるゴム製のブラシ基板(36)にブラシ毛(35)を植設したものであり、ブラシ毛(35)は、上記ブラシ列(30)のブラシ毛(31)よりも硬めの素材から形成されている。ブラシ列(34)は、上記ブラシ列(30)から４５度ずれて、夫々ブラシ軸(22)の直径方向に対向する位置に取り付けられている。
【００２０】
ゴム製ブレード(37)は、ゴム製のブレード用基板(38)から垂直に突設される。ゴム製ブレード(37)は、ブラシ列(30)(30)間且つブラシ列(34)から９０度ずれた位置に、夫々ブラシ軸(22)の直径方向に対向する位置に取り付けられている。
【００２１】
なお、回転ブラシ(20)に植設されるブラシ列(30)(34)の数、形状、硬さ、種類等は、上記実施例に限定されるものではなく、また、ゴム製ブレード(37)も必要に応じて設ければよい。
【００２２】
本実施例では、凹部(25a)(25b)(25c)は、ブラシ軸(22)に対して螺旋状に形成しており、図１及び図３に示すように、ブラシ列(30)(34)及びゴム製ブレード(37)は、ブラシ軸(22)に対して捻れた状態で取り付けられている。ブラシ列(30)(34)及びゴム製ブレード(37)を螺旋状に形成したのは、電気掃除機に吸引された際に、回転ブラシ(20)の回転性能を高め、絨毯や床面からのゴミ、髪の毛等の掻き出し性能を向上させるためである。勿論、凹部(25a)(25b)(25c)をブラシ軸(22)に対して平行に形成してもよい。
【００２３】
回転ブラシ(20)には、図１乃至図３に示すように、外周にネット部材(40)が嵌められている。ネット部材(40)は、ナイロン等から構成することができ、網目の大きさは、一辺が約２〜１０ｍｍとなるように形成することが望ましい。網目が２ｍｍよりも小さいと、網目からブラシ毛(31)(35)が露出しにくくなり、ブラシ列(30)(34)による掻き出し性能が低下することがある。また、網目が１０ｍｍよりも大きくなると、髪の毛や糸くず等が網目から回転ブラシ(20)の内部に侵入して、ブラシ毛(31)(35)やブラシ軸(22)に絡まることがある。
【００２４】
ネット部材(40)は、図１乃至図３に示すように、筒状に形成される。ネット部材(40)の直径は、回転ブラシ(20)と同じ又はそれよりも１〜３ｍｍ程度大きく形成される。回転ブラシ(20)とネット部材(40)の直径差が小さいほど、ネット部材(40)の回転により生ずるケーシング(14)との干渉や振動音を小さくできる。逆に、ネット部材(40)の直径が回転ブラシ(20)よりも大きいほど、ネット部材(40)による髪の毛等の絡み防止効果を高めることができる。なお、ネット部材(40)が伸縮性を有する場合には、回転ブラシ(20)の直径よりも小さい直径となるようにしてもよい。
【００２５】
ネット部材(40)の軸方向の長さは、ブラシ軸(22)のブラシ列(30)(34)が形成された部分よりも長く形成されている。
【００２６】
ネット部材(30)は、回転ブラシ(20)の外周に被さるように嵌められて、両端がブラシ軸(22)に回転自由に取り付け又は固定される。
【００２７】
図３は、環状のリング(41)でネット部材(40)の両端をブラシ軸(22)に装着した例を示している。環状のリング(41)は、プラスチック等から構成され、一対のリング半体を、ネット部材(40)を挟んだ状態で、上下からブラシ軸(22)に取り付け、リング半体同士を固定することによって、ネット部材(40)が回転ブラシ(20)に装着される。リング(41)の内径は、ネット部材(40)が抜け落ちてしまわないように、ブラシ軸(22)の直径及びネット部材(40)の厚さに基づいて適宜決定すればよい。
【００２８】
図３の実施例の場合、ネット部材(40)は、リング(41)によってブラシ軸(22)に回転不能に固定される。
【００２９】
筒状のネット部材(40)を嵌めた回転ブラシ(20)は、図１及び図２に示すように、回転ブラシ(20)の外周の一部が、床用吸込具(10)の吸込口(16)から下向きに突出するように、両端の軸受(23)(23)を床用吸込具(10)のケーシング(14)に固定することにより装着される。
【００３０】
上記床用吸込具(10)を電気掃除機に接続し、電気掃除機を駆動すると、電気掃除機の吸引によって生ずる気流により、回転ブラシ(20)は、図４の矢印Ａ方向に回転する。
【００３１】
回転ブラシ(20)に取り付けられたネット部材(40)は、電気掃除機の吸引力と、回転に伴う遠心力によって、図４の矢印Ｂに示すように、直径方向に膨らみつつ、回転ブラシ(20)と一体に回転する。
【００３２】
この状態で、床用吸込具(10)を床面(80)に当接させると、回転ブラシ(20)は、図５に示すように、ネット部材(40)が床面(80)に沿って変形し、床面(80)に当たっているブラシ列(30)(34)の先端がネット部材(40)から露出した状態となる。
【００３３】
床用吸込具(10)を床面(80)に沿って前後動させると、ネット部材(40)から露出している回転ブラシ(20)のブラシ列(30)(34)によって、床面(80)の髪の毛、糸くず等を含むゴミが掻き出される。
【００３４】
図６乃至図８は、回転ブラシ(20)の外周に、長い髪の毛(82)が絡んだ状態から、髪の毛(82)がネット部材(40)によって回転ブラシ(20)から除去されるメカニズムを示す図である。説明をわかりやすくするため、図６に示すように、予め、回転ブラシ(20)が回転していない状態で、髪の毛(82)を回転ブラシ(20)の外周に絡めている。
【００３５】
図６に示すように、回転ブラシ(20)の外周に髪の毛(82)が絡んでいる場合、電気掃除機を駆動すると、図７に示すように、ネット部材(40)が膨らむ。回転ブラシ(20)に巻き付いた髪の毛(82)は、ブラシ列(30)(34)に絡まっていても、ネット部材(40)の膨らみによる外径の拡大により、ブラシ列(30)(34)から鍬取られる。その結果、図８に示すように、電気掃除機の吸引力及び回転ブラシ(20)の回転によって、髪の毛(82)は、回転ブラシ(20)から離れて、電気掃除機に吸引される。
【００３６】
また、ネット部材(40)が膨らむことによって、回転ブラシ(20)の見かけの外径が拡大するから、髪の毛等は回転ブラシ(20)に絡みにくくなる。
【００３７】
なお、ネット部材(40)の膨らみを大きくするために、ネット部材(40)は、伸縮方向が、回転ブラシ(20)に直交するように構成することが望ましい。具体的には、図９(ａ)に示すように、回転ブラシ(20)の軸方向に網目(42)の列が交差するようにネット部材(40)を構成することにより、ネット部材(40)は、図９(ｂ)に示すように、軸方向に対して直交するように伸び、図６乃至図８に示す如く、ネット部材(40)の直径は、電気掃除機の駆動によって、回転ブラシ(20)から離れる方向に大きく拡大して、回転ブラシ(20)に絡んだ髪の毛(82)等を効果的に除去できる。
【００３８】
以下、ネット部材(40)の取付方法の異なる実施例について図を用いて説明する。
【００３９】
図１０は、ネット部材(40)の両端をゴム製のバンド(43)でブラシ軸(22)に固定した実施例である。
【００４０】
また、図１１は、ネット部材(40)の両端に予めゴム製のバンド(43)を嵌めて、ネット部材(40)の端部を、バンド(43)が脱落しないように縫製、接着又は溶着した実施例である。ネット部材(40)は、バンド(43)が取り付けられた状態で回転ブラシ(20)に嵌めることができるから、ネット部材(40)の取付け及び交換を容易に行なうことができる。
【００４１】
図１２は、ブラシ軸(22)に嵌まる一部が開放した略Ｃ字状のリング(44)の外周にネット部材(40)を接着又は溶着により取り付けた実施例である。リング(44)の内径を調整することによって、ネット部材(40)を回転ブラシ(20)に対して回転不能としたり、回転自由とすることができる。ネット部材(40)を回転ブラシ(20)に対して回転自由とすることにより、ネット部材(40)が捻れても元に戻りやすい。
【００４２】
図１３は、ブラシ軸(22)の両端を拡径し、ブラシ軸(22)に直接ネット部材(40)を接着又は溶着させた実施例である。
【００４３】
図１４乃至図１６は、ネット部材(40)の中央に開口(45)を設け、該開口(45)から回転ブラシ(20)を嵌めることができるようにした実施例である。
【００４４】
図１４及び図１５に示すように、ネット部材(40)の両端には、ゴム製の環状プレート(46)が取り付けられている。環状プレート(46)は、内周側にブラシ軸(22)が嵌まる取付孔(47)が開設されており、ブラシ軸(22)への装着を容易にするために、取付孔(47)から外周方向に向けて放射状に複数の切欠き(48)が形成されている。ネット部材(40)は、環状プレート(46)の外周に接着又は溶着される。
【００４５】
ネット部材(40)の中央には、軸方向に開口(45)が形成されており、図１４に示すように、開口(45)から回転ブラシ(20)を挿入し、一方の環状プレート(46)をブラシ軸(22)に通した後、ネット部材(40)の伸縮性を利用して、ネット部材(40)の内部に回転ブラシ(20)を挿入し、他方の環状プレート(46)をブラシ軸(22)に装着することにより、ネット部材(40)が回転ブラシ(20)に取り付けられる(図１６)。
【００４６】
なお、床用吸込具(10)において、髪の毛や糸くずが絡みやすいのは、接続パイプ(12)からの吸引力が中央に比べて弱まる両端側であるため、ネット部材(40)に形成された開口(45)は、縫製等により閉じてもよいが、開口(45)を閉じなくても、回転ブラシ(20)への髪の毛等の絡みは防止できる。
【００４７】
図１７及び図１８は、ネット部材(40)を、２つの筒状体(50)(50)から形成した実施例である。筒状体(50)は、夫々一端に上記図１５に示した環状プレート(46)が取り付けられており、図１９中矢印Ｃで示すように、各筒状体(50)は、開放側から回転ブラシ(20)に挿入し、環状プレート(46)をブラシ軸(22)に嵌めるようにしている。
【００４８】
図１７は、筒状体(50)(50)が回転ブラシ(20)の略中央で重なるようにした実施例である。筒状体(50)(50)の重なり部分は、接着又は溶着等により互いにズレないようにすることが望ましいが、各筒状体(50)(50)の網目がブラシ毛に引っ掛かるため、接着等を行なわなくても、ズレは生じ難い。
【００４９】
図１８は、筒状体(50)(50)が回転ブラシ(20)の略中央で重ならないようにした実施例である。回転ブラシ(20)の中央付近は、電気掃除機による吸引力が強いから、髪の毛等が絡みにくいため、吸引力の弱まる回転ブラシ(20)の両端側に筒状体(50)(50)を配置することで、髪の毛等の絡みを効果的に防止できる。
＜実施例２＞
本実施例は、図２０に示すように、シート状のネット部材(52)を回転ブラシ(20)に取り付けた実施例である。
【００５０】
ネット部材(52)は、図２０に示すように、略平行四辺形に切断されており、一方の長辺に取付用の面ファスナー(54)が形成されている。図２０において、ネット部材(52)を略平行四辺形としているのは、図２１に示すように、回転ブラシ(20)に螺旋状にブラシ列(30)(34)を形成しているからである。回転ブラシ(20)に軸方向に平行にブラシ列を形成した場合には、ネット部材(52)は、略長方形とすることができる。なお、本明細書では、略平行四辺形、略長方形を含めて略矩形と称する。また、ネット部材(52)の長辺の自由端側は、直線に切断されている必要はなく、波形、円形又は中央側が凹んだ形状としてもよい。
【００５１】
ネット部材(52)の短辺は、回転ブラシ(20)の外周長さよりも少し長く形成し、図２３に示すように、回転ブラシ(20)に取り付けられたときに、ネット部材(52)の一部が周面方向で一部重なるようにすることが望ましい。
【００５２】
図２０に示すネット部材(52)は、図２１に示す回転ブラシ(20)に取り付けられる。回転ブラシ(20)には、ブラシ列(30)(34)間にネット部材(52)を取り付けるための面ファスナー(27)が形成されており、ネット部材(52)の面ファスナー(54)を回転ブラシ(20)の面ファスナー(27)に貼り付け、ネット部材(52)を回転ブラシ(20)に巻回することにより、図２２及び図２３に示すように、ネット部材(52)が回転ブラシ(20)に着脱可能に装着される。面ファスナー(27)(54)を用いることによって、シート状のネット部材(52)は着脱可能となるから、ネット部材(52)の交換が可能となる。
【００５３】
ネット部材(52)は、図２３に示すように、回転ブラシ(20)の回転方向Ａに対して、逆向きに巻回されるように取り付けることが望ましい。回転方向Ａに対して逆向きに巻き付けることによって、回転ブラシ(20)の回転に沿って回転ブラシ(20)と一体に回転するからである。
【００５４】
図２４乃至図２６は、図２３に示すシート状のネット部材(52)を取り付けた回転ブラシ(20)の外周に、長い髪の毛(82)が絡んだ状態から、髪の毛(82)がシート状のネット部材(52)によって回転ブラシ(20)から除去されるメカニズムを示す図である。説明をわかりやすくするため、図２４に示すように、予め、回転ブラシ(20)が回転していない状態で、髪の毛(82)を回転ブラシ(20)の外周に絡めている。
【００５５】
図２４に示すように、回転ブラシ(20)の外周に髪の毛(82)が絡んでいる場合、電気掃除機を駆動すると、図２５に示すように、吸引力と回転(図中矢印Ａ)による遠心力によって、ネット部材(52)が膨らむ(図中矢印Ｂ)。回転ブラシ(20)に巻き付いた髪の毛(82)は、ブラシ列(30)(34)に絡まっていても、ネット部材(52)の膨らみによる外径の拡大により、ブラシ列(30)(34)から鍬取られる。その結果、図２６に示すように、電気掃除機の吸引力及び回転ブラシ(20)の回転によって、髪の毛(82)は、回転ブラシ(20)から離れて、電気掃除機に吸引される。
【００５６】
なお、ネット部材(52)は、実施例１と同様の理由により、図２０に示すように、伸縮方向が、回転ブラシ(20)に直交するように構成することが望ましい。
【００５７】
図２７は、シート状のネット部材(52)の異なる取付形態を示す図である。図２７に示すように、ブラシ列(30)(34)が植設された取付筒(24)に、ブラシ列(30)(34)と平行にゴム製のブレード(37)を立設し、該ブレード(37)に接着、溶着又は縫製等により、シート状のネット部材(52)を取り付けている。
【００５８】
図２８は、２枚のシート状ネット部材(52)(52)をブラシ軸(22)に対して直径方向に対向する位置に取り付けた例を示している。
【００５９】
ネット部材(52)(52)は、回転ブラシ(20)に取り付けたときに、自由端側が夫々他方のネット部材と一部重なるように短辺長さが調整されている。
【００６０】
図２９乃至図３１は、図２８に示す２枚のシート状ネット部材(52)(52)を取り付けた回転ブラシ(20)の外周に、長い髪の毛(82)が絡んだ状態から、髪の毛(82)がシート状のネット部材(52)(52)によって回転ブラシ(20)から除去されるメカニズムを示す図である。説明をわかりやすくするため、図２９に示すように、予め、回転ブラシ(20)が回転していない状態で、髪の毛(82)を回転ブラシ(20)の外周に絡めている。
【００６１】
図２９に示すように、回転ブラシ(20)の外周に髪の毛(82)が絡んでいる場合、電気掃除機を駆動すると、図３０に示すように、吸引力と回転による遠心力によって、ネット部材(52)(52)が膨らむ。回転ブラシ(20)に巻き付いた髪の毛(82)は、ブラシ列(30)(34)に絡まっていても、ネット部材(52)(52)の膨らみによる外径の拡大により、ブラシ列(30)(34)から鍬取られる。その結果、図３１に示すように、電気掃除機の吸引力及び回転ブラシ(20)の回転によって、髪の毛(82)は、回転ブラシ(20)から離れて、電気掃除機に吸引される。
【００６２】
また、ネット部材(52)(52)の膨らみによって、回転ブラシ(20)の見かけの外径が拡大するから、髪の毛等は回転ブラシ(20)に絡みにくくなる。
【００６３】
シート状のネット部材(52)(52)を２枚とすることにより、図３０に示すように、ネット部材(52)(52)は、周方向２箇所で吸引力及び遠心力により外側に大きく膨らむから、髪の毛(82)等の除去効果を可及的に高めることができる。同様に、ネット部材(52)(52)の膨らみによって、回転ブラシ(20)の見かけの外径が拡大するから、髪の毛等は回転ブラシ(20)に絡みにくくなる。
【００６４】
図３２は、シート状のネット部材(52)(52)の異なる取付形態を示す図である。図３２に示すように、ブラシ列(30)(34)が植設された取付筒(24)に、ブラシ列(30)(34)と平行にゴム製のブレード(37)(37)を互いにブラシ軸(22)の直径方向に対向する位置に立設し、ブレード(37)(37)に夫々接着、溶着又は縫製等により、シート状のネット部材(52)(52)を取り付けている。
＜実施例３＞
実施例２では、網目を有するネット部材(40)(52)を回転ブラシ(20)に取り付けているが、図３３に示すように、布やゴム、ビニール等からなるシート部材(60)を回転ブラシ(20)に取り付けてもよい。
【００６５】
シート部材(60)(60)は、略矩形(略平行四辺形)に切断され、一方の長辺に面ファスナー(54)が取り付けられており、回転ブラシ(20)側に取り付けられた面ファスナー(27)に、図３４及び図３５に示すように装着される。
【００６６】
図３３乃至図３５では、２枚のシート部材(60)(60)を回転ブラシ(20)に取り付けているが、１枚又は３枚以上のシート部材(60)(60)を取り付ける構成としてもよい。
【００６７】
図３６(ａ)の状態から電気掃除機を駆動すると、図３６(ｂ)に示すように、吸引力と回転(矢印Ａ)による遠心力によって、シート部材(60)の自由端側が外側に膨らむ。その結果、回転ブラシ(20)に巻き付いた髪の毛は、ブラシ列(30)(34)から引き出され、電気掃除機の吸引に吸引される。また、シート部材(60)の膨らみによって、回転ブラシ(20)の見かけの外径が拡大するから、髪の毛等は回転ブラシ(20)に絡みにくくなる。
【００６８】
図３７に示すように、シート部材(60)(60)は、ブラシ列(30)(34)と平行に立設されたゴム製のブレード(37)(37)に夫々接着、溶着又は縫製等により取り付けてもよい。この場合も、図３７(ａ)の状態から、電気掃除機の駆動により、図３７(ｂ)に示すように、回転ブラシ(20)が回転し(矢印Ａ)、シート部材(60)(60)の先端が外側に広がり、回転ブラシ(20)の見かけの外径が拡大して、上記と同様に、回転ブラシ(20)に巻き付いた髪の毛を除去できる。
【００６９】
図３６(ｂ)と図３７(ｂ)とを比較すると、シート部材(60)の短辺の長さが同じ場合、ブレード(37)にシート部材(60)を取り付けた方が、シート部材(60)の回転による見かけの外径は大きくなるから、効果的に巻き付いた髪の毛を除去できることがわかる。
【００７０】
上記何れの実施例においても、回転ブラシ(20)を一方向のみの回転だけでなく、逆回転させることにより、髪の毛等の除去効果を可及的に高めることができる。正逆回転は、使用者が床面に対して床用吸込具(10)を前後に動かすことによって行なうことができる。
【００７１】
また、床用吸込具(10)に回転ブラシ(20)を正逆回転させるモータを配備した場合には、回転ブラシ(20)を強制的に正逆回転させる構成としてもよい。なお、モータにより回転ブラシ(20)を正逆回転させる場合、電気掃除機の運転時には、回転ブラシ(20)を正転させ、運転終了時に数秒程度回転ブラシ(20)を逆転させるようにしてもよい。
【産業上の利用可能性】
【００７２】
本発明は、回転ブラシに回転ブラシに髪の毛や糸くずを絡みにくくした床用吸込具及びこれを搭載した電気掃除機として有用である。
【符号の説明】
【００７３】
(10)  床用吸込具
(20)  回転ブラシ
(22)  ブラシ軸
(30)  ブラシ列
(34)  ブラシ列
(40)  ネット部材
(52)  シート状のネット部材
(60)  シート部材
【図１】
0005413353.tif 000002
【図２】
0005413353.tif 000003
【図３】
0005413353.tif 000004
【図４】
0005413353.tif 000005
【図５】
0005413353.tif 000006
【図６】
0005413353.tif 000007
【図７】
0005413353.tif 000008
【図８】
0005413353.tif 000009
【図９】
0005413353.tif 000010
【図１０】
0005413353.tif 000011
【図１１】
0005413353.tif 000012
【図１２】
0005413353.tif 000013
【図１３】
0005413353.tif 000014
【図１４】
0005413353.tif 000015
【図１５】
0005413353.tif 000016
【図１６】
0005413353.tif 000017
【図１７】
0005413353.tif 000018
【図１８】
0005413353.tif 000019
【図１９】
0005413353.tif 000020
【図２０】
0005413353.tif 000021
【図２１】
0005413353.tif 000022
【図２２】
0005413353.tif 000023
【図２３】
0005413353.tif 000024
【図２４】
0005413353.tif 000025
【図２５】
0005413353.tif 000026
【図２６】
0005413353.tif 000027
【図２７】
0005413353.tif 000028
【図２８】
0005413353.tif 000029
【図２９】
0005413353.tif 000030
【図３０】
0005413353.tif 000031
【図３１】
0005413353.tif 000032
【図３２】
0005413353.tif 000033
【図３３】
0005413353.tif 000034
【図３４】
0005413353.tif 000035
【図３５】
0005413353.tif 000036
【図３６】
0005413353.tif 000037
【図３７】
0005413353.tif 000038